(57)【要約】【課題】本発明の目的は、複数の分析ユニットで構成されているにもかかわらず、迅速に分析データの取得並びに報告がおこなうことが出来る検体分析システムを提供し得る。【解決手段】検体分析システム１は、試料を吸引し、分析する複数の分析ユニット２０ａ、２０ｂと、分析ユニット２０ａ、２０ｂが吸引するための試料吸引位置に前記試料を搬送する搬送路と、を具備している。前記少なくとも２つの分析ユニット２０ａ、２０ｂが、同一の試料吸引位置において、前記試料のサンプリングを行う。【選択図】    図１
2005009976.tif 000002
【特許請求の範囲】
【請求項１】
試料を吸引し、分析する複数の分析ユニットと
前記分析ユニットが吸引する試料吸引位置に、前記試料を搬送する搬送路と、
を具備しており、
少なくとも２つの分析ユニットが、同一の試料吸引位置において、試料のサンプリングを行う検体分析システム。
【請求項２】
前記分析ユニットは、同一の試料吸引位置において、同一検体を吸引する請求項１に記載の検体分析システム。
【請求項３】
同一の試料吸引位置において試料を吸引した前記複数の分析ユニットの夫々は、互いに異なる分析手法により、前記試料を分析する請求項１又は２に記載の検体分析システム。
【請求項４】
前記複数の分析ユニットは、生化学的分析を行う分析ユニットと、免疫学的分析を行う分析ユニットとを含んでいる請求項３に記載の検体分析システム。
【請求項５】
各分析ユニットは、試料を吸引するためのサンプリングプローブを有しており、前記各サンプリングプローブは、他のサンプリングプローブと異なるタイミングで前記試料を吸引する請求項１に記載の検体分析システム。
【請求項６】
各分析ユニットは、試料を吸引するためのサンプリングプローブを有しており、前記少なくとも１つのサンプリングプローブは、自身以外の少なくとも１つのサンプリングプローブが次の試料を吸引するまでの間に、複数回試料を吸引する請求項１に記載の検体分析システム。
【発明の詳細な説明】
【０００１】
【発明の属する技術分野】
本発明は、血液等の検体を分析し、臨床診断に必要な検査データを提供する検体分析システムに関している。
【０００２】
【従来の技術】
血液や尿などの試料（検体）を分析する検体検査は、複数の検査対象分野に対して、行われている。例えば、上記検体検査は、生化学的検査、免疫学的検査、血液学的血球計数・凝固検査、微生物検査などの多数の分野に対して行われる。上記各分野の検査は、それぞれに対応した分析ユニットにより実施されている。
【０００３】
近年上記検体検査の分野において、複数分野の検査を、統合的に分析する複合された検体分析システムが提案されている。例えば、検体分析システムは、生化学的検査の独立した分析ユニットと、免疫学的検査の独立した分析ユニットとを組み合わせ、これらを直列的に配置して構成されている。このような検体分析システムは、上記複数のユニット間に検体を搬送し、複数分野の検査を自動的に行う。
【０００４】
このような複合した検体分析システムは、初めから生化学的検査と免疫学的検査との分析機能を一体統合した装置に比べ、既存の分析ユニットを流用できる点において、システム構築の自由度並びにコストパフォーマンスに優れている。
【０００５】
上記検体分析システムの例として、特開２０００−７４９２５号公報（特許文献１参照）や、特開２０００−２５８４３０号公報（特許文献２参照）や、に記載の検体分析システムがある。特開２０００−７４９２５号公報の検体分析システムを図８を参照して説明する。図８中の検体分析システム１００は、検体を運ぶ主搬送路１１０と、前記搬送路に沿って直列的に配置された複数の分析ユニット１２０と、を有している。
【０００６】
主搬送路１１０は、複数の検体が配置されている検体ラック１３０を各分析ユニット１２０に向けて搬送する。なお、図８中において、検体ラック１３０の搬送方向が、矢印で概略的に示されている。この主搬送路１１０の一端部には、検体ラック１３０を供給するラック投入部１４０が配置されており、他端部には、検体ラック１３０を回収するためのラック収容部１５０が配置されている。
【０００７】
また、主搬送路１１０には、ラック待機部１１１と、戻り搬送路１１２と、複数の引き込み線１１３とが接続されている。ラック待機部１１１は、再検査を行う検体を含んでいる検体ラック１３０を一時待機させる場所である。戻り搬送路１１２は、主搬送路１１０の一端部と他端部とに連結されている搬送路である。この戻り搬送路１１２は、再検査を行う検体ラック１３０を、主搬送路１１０の他端部から一端部まで搬送する。また、引き込み線１１３は、各分析ユニット１２０に対応して設けられており、主搬送路１１０から、検体ラック１３０を各分析ユニット１２０の前に導く。
【０００８】
各分析ユニット１２０は、検体を分析の試料として吸引するためのサンプリングプローブ１２２と、検体を分析するための分析部１２３とを有している。
【０００９】
サンプリングプローブ１２２は、検体ラック１３０中の検体を吸引し、分析部１２３に送る。具体的には、サンプリングプローブ１２２は、自身の先端から検体を吸引し、分析部１２３中に配置された検査用の容器中に吸引した検体を分注する。なお、本明細書中において、サンプリングプローブが検体を吸引する際に、サンプリングプローブが試料を吸引し得るように配置された試料の位置を試料吸引位置とする。また、本明細書中において、サンプリングプローブが分析部に試料を提供する際の検査用の容器の位置を分注位置とする。この分注位置において、サンプリングプローブ１２２は、前記容器に試料を分注する。
【００１０】
サンプリングプローブ１２２は、上記吸引並びに分注動作を行うため、先端が、前記試料吸引位置と前記分注位置とに移動可能なように、回動可能に構成されている。図８中において、回動したサンプリングプローブ１２２が、破線で示されている。
分析部１２３は、前記容器中に分注された試料（検体）を分析し、分析結果を出力する。
【００１１】
上記構成の検体分析システム１００は、１つの検体に対して複数の分析ユニット１２０により検査する場合、以下のように動作する。なおこの動作は、図８中において、前記検体が、右端の分析ユニット１２０と、その隣の分析ユニット１２０とにより分析される場合に対して説明する。
【００１２】
まず、検体ラック１３０が、ラック投入部１４０から主搬送路１１０の一端部に移動される。主搬送路１１０は、右端の分析ユニット１２０の引き込み線１１３まで検体ラック１３０を搬送する。
【００１３】
続いて検体ラック１３０は、引き込み線１１３により、前記試料吸引位置まで移動される。そして、分析ユニット１２０は、検体を吸引、分析する。分析後、引き込み線１１３は、再び主搬送路１１０に検体ラック１３０を戻す。
【００１４】
続いて主搬送路１１０は、次の分析ユニット１２０の引き込み線１１３まで、検体ラック１３０を搬送する。次の分析ユニット１２０は、右端の分析ユニット１２０と同様に、引き込み線１１３により試料吸引位置に搬送された検体ラック１３０から検体を吸引並びに分析する。検体ラック１３０は、分析後、再び主搬送路１１０に戻される。
【００１５】
検体ラック１３０中に未検査の検体が有る場合、戻り搬送路１１２により再び主搬送路１１０の一端部に戻され、未検査の検体に対する検査が、上記と同様に繰り返される。なお、全ての検査が終わった検体ラック１３０は、ラック収容部１５０により回収される。
【００１６】
また、特開２０００−２５８４３０号公報に記載の検体分析システムも、特開２０００−７４９２５号公報に記載の検体分析システム１００と同様の構成を有している。特開２０００−２５８４３０号公報の検体分析システムは、各分析ユニット１２０の分析時間の差を利用して、システム全体のスループットを向上させている。
【００１７】
一般的に、免疫学的検査は、生物学的検査と比べての分析時間が長い。特開２０００−２５８４３０号公報の検体分析システムでは、免疫学的検査を行う分析ユニット１２０に、先に分注し、この分析ユニット１２０の分析中に、生物学的検査を行う分析ユニット１２０に検体を搬送し、分注を行う。これにより、特開２０００−２５８４３０号公報の検体分析システムは、分析時間の長い分析ユニット１２０の分析作業の間待たされることなく、他の分析ユニット１２０により検査を行うことが出来る。
【００１８】
【特許文献１】
特開２０００−７４９２５号公報（第３−７頁、  図１）
【００１９】
【特許文献２】
特開２０００−２５８４３０号公報（第５−１１頁、  図１）
【００２０】
【発明が解決しようとする課題】
近年、臨床検査において、初診においても診断前に分析データを提供し得るような迅速検査のニーズは、高まっている。このような迅速検査は、患者サービスとして望ましいことはもちろん、検査データに基づいて初期診断を行えるため、適正な治療方針が得られ、不適正な投薬を防止し、医療費削減につながる。
【００２１】
上記２つの公報に記載の検体分析システムは、共に、各分析ユニット１２０が検体を吸引する際に、分析ユニット毎に異なる試料吸引位置に検体ラック１３０を搬送する必要がある。従って、上記２つの公報に記載の検体分析システムは、構成する分析ユニット数に比例してスループットが遅くなってしまう。従って、これらの検体分析システムでは、患者単位（検体単位）に分析データを揃えるには時間がかかり、前記迅速検査を行うことが困難である。
【００２２】
また、近年、より迅速な分析を達成するために、免疫学的検査の検査時間も速くなってきている。なお、特開２０００−２５８４３０号公報に記載の検体分析システムでは、分析ユニット毎の分析時間の差を利用して、スループットの向上を図っている。従って、上記公報の検体分析システムでは、各分析間に分析時間の差が少ない場合、大きなスループットの向上を図ることが困難である。従って、特開２０００−２５８４３０号公報に記載の検体分析システムでも、前記迅速検査を行うことが困難である。
【００２３】
上記課題を鑑みて、本発明の目的は、複数の分析ユニットで構成されているにもかかわらず、迅速に分析データの取得並びに報告がおこなうことが出来る検体分析システムを提供することである。
【００２４】
【課題を解決するための手段】
上記課題を鑑みて、本発明の検体分析システムは、以下のように構成される。
【００２５】
本発明の一態様の検体分析システムは、試料を吸引し、分析する複数の分析ユニットと、前記分析ユニットが吸引する試料吸引位置に、前記試料を搬送する搬送路と、を具備しており、少なくとも２つの前記分析ユニットが、同一の試料吸引位置において、前記試料のサンプリングを行う。
【００２６】
上記構成に示すように、少なくとも２つの分析ユニットが、同一の試料吸引位置で、試料である検体を吸引し得る。このため、本態様の検体分析システムは、試料吸引位置の総数を、前記試料を検査に使用する分析ユニットの総数より少なくし得る。従って、本態様の検体分析システムは、試料移動回数が減り、全体のスループットを向上させ得る。
【００２７】
また、前記分析ユニットは、同一の試料吸引位置において、同一検体を吸引し得る。
【００２８】
上記構成により、１つの検体当たりの分析結果出力までの時間を短縮し得る。
【００２９】
また、同一の試料吸引位置において試料を吸引した前記複数の分析ユニットの夫々は、互いに異なる分析手法により、前記試料を分析し得る。
【００３０】
上記構成により、異なる分析手法の分析ユニットを組み合わせた場合においても、本態様の検体分析システムは、全体のスループットを向上させ得る。
【００３１】
また、前記複数の分析ユニットは、生化学的分析を行う分析ユニットと、免疫学的分析を行う分析ユニットとを含み得る。
【００３２】
上記構成により、生化学的分析を行う分析ユニットと、免疫学的分析を行う分析ユニットとを組み合わせた場合においても、本態様の検体分析システムは、全体のスループットを向上させ得る。
【００３３】
また、各分析ユニットは、試料を吸引するためのサンプリングプローブを有しており、前記各サンプリングプローブは、他のサンプリングプローブと異なるタイミングで前記試料を吸引し得る。
【００３４】
上記構成により、各サンプリングプローブが、前記試料吸引位置において互いに干渉してしまう場合においても、共通の試料吸引位置において試料の吸引を行い得る。
【００３５】
また、各分析ユニットは、試料を吸引するためのサンプリングプローブを有しており、前記少なくとも１つのサンプリングプローブは、自身以外の少なくとも１つのサンプリングプローブが次の試料を吸引するまでの間に、複数回試料を吸引し得る。
【００３６】
上記構成により、分析時間が長い分析ユニットの吸引する時間を待つことなく、この分析ユニット以外の少なくとも１つの分析ユニットは、試料の吸引を行うことが出来る。従って、迅速に検査を行い得る。
【００３７】
【発明の実施の形態】
以下、図面を参照しながら本発明の実施の形態について説明する。
【００３８】
（第１の実施の形態）
まず、第一の実施の形態について図１並びに図２を用いて説明する。図１は、本実施の形態に従った検体分析システムを示す概略的な上面図である。図２は、検体を収容する検体ラックを示す上面図である。
【００３９】
（構成）
本実施の形態の検体分析システム１は、主搬送路１０と、２つの分析ユニット２０と、ラック投入部４０と、ラック収容部５０と、制御部６０とを具備している。
【００４０】
主搬送路１０は、複数の検体が収められている検体ラック３０を搬送するための搬送路である。この検体ラック３０は、図２中に示されているように、検体が入れられている試料容器３１を複数収容している。また、主搬送路１０の一端には、検体ラック３０を搬送路に供給するラック投入部が接続されている。また、主搬送路１０の他端には、検体ラック３０を回収するラック収容部５０が接続されている。
【００４１】
２つの分析ユニット２０は、主搬送路１０に沿って直列的に配置されている。なお、分析ユニット２０は、説明の為に、図１中において、右側の分析ユニットを参照符号２０ａ指摘し、左側の分析ユニットを参照符号２０ｂで指摘している。分析ユニット２０ａ、検体を分析の試料として吸引するためのサンプリングプローブ２２ａと、検体を分析するための分析部２３ａとを有している。分析ユニット２０ｂも同様に、サンプリングプローブ２２ｂと、分析部２３ｂとを有している。
【００４２】
サンプリングプローブ２２ａ，２２ｂは、先端が前記試料吸引位置と前記分注位置とに移動可能なように、回動可能に構成されている。また、サンプリングプローブ２２ａ，ｂは、互いに隣接する分析ユニット２０ａ，２０ｂの境界近傍に配置され、互いに隣接している。また、サンプリングプローブ２２ａ，２２ｂは、同一の試料吸引位置で検体を吸引し得るように設定されている。
【００４３】
分析部２３ａは、分注された検体（試料）の生化学的検査を行う分析手段である。また、分析部２３ｂは、前記検体の免疫学的検査を分析手段である。
【００４４】
制御部６０は、主搬送路１０，分析ユニット２０ａ並びにｂ、ラック投入部４０、及び、ラック収容部５０に接続されており、これらの動作を制御する。また、制御部６０は、各分析ユニット２０からの分析結果を受け、この結果を出力する。
【００４５】
（動作）
上記構成の検体分析システム１の動作について説明する。この説明において、分析ユニット２０ａ，２０ｂが１つの検体について分析する場合において説明する。
【００４６】
まず、制御部６０の命令により、検体ラック３０が、ラック投入部４０から主搬送路１０の一端部に移動される。主搬送路１０は、検体ラック３０を搬送する。具体的には、主搬送路１０は、両分析ユニット２０の共通の試料吸引位置に、検査対象の検体が入っている試料容器３１が配置されるように、検体ラック３０を搬送する。主搬送路１０は、試料容器３１が試料吸引位置に到着した際に、搬送を停止する。
【００４７】
制御部６０は、サンプリングプローブ２２ａ，２２ｂに駆動命令を出し、同時に試料容器３１から検体を吸引させる。検体を吸引したサンプリングプローブ２２ａ，２２ｂは、回動し、夫々の分注位置で、検体を分注し、分析部２３ａ，２３ｂに試料を提供する。
【００４８】
分析部２３ａ，２３ｂは、試料を提供され次第分析を開始し、分析の終了後、分析結果を制御部６０に送る。制御部６０は、受信した分析結果を出力する。
【００４９】
なお、制御部６０は、検体ラック３０中に、未検査の検体が残っている場合、サンプリングプローブ２２ａ，２２ｂによる吸引の終了後、次の試料容器３１を試料吸引位置に搬送させ、上記各分析ユニット２０ａ，２０ｂにより同様に分析させる。また、検体ラック３０中の検査対象の検体全てを検査し終えた場合、制御部６０は、検体ラック３０をラック収容部５０に搬送するように、主搬送路１０に命令を出す。ラック収容部５０は、搬送された検体ラック３０を回収する。
【００５０】
上記構成並びに動作に示すように、本実施の形態の検体分析システム１は、１つの試料吸引位置で、複数の分析ユニット２０ａ，２０ｂに対する試料（検体）の吸引を完了出来る。従って、本実施の形態の検体分析システム１は、従来の検体分析システムのように、各分析ユニット毎に、吸引、搬送を繰り返す必要がない。
【００５１】
また、本実施の形態の検体分析システム１は、一つの検体に対して、同時に複数の分析ユニット２０ａ，２０ｂにより同時に検査が行えるため、より迅速に検体単位の分析データを制御部６０に出力し得る。
【００５２】
さらに、上記検体分析システム１は、１回の搬送で全ての分析ユニット２０の吸引動作を完了し得る。従って、試料容器３１を１つ分だけ搬送するだけで、次の検体を試料吸引位置に移動させ得る。従って、本実施の形態の検体分析システムは、複数の検体に対して分析を行う際においても、迅速に検査し得る。
【００５３】
これらのように本実施の形態の検体分析システム１は、複数の分析ユニットで構成されているにもかかわらず、迅速に分析データの取得並びに報告をおこなうことが出来る。
【００５４】
なお、本実施の形態において、分析ユニット２０ａ，２０ｂは、主搬送路１０に沿って直列的に配置されているが、分析ユニットの試料吸引位置が同一になるように配置し得れば、分析ユニットの配置は任意である。例えば、図３中に示すように、２つの分析ユニット２０は、主搬送路１０を挟んで互いに対面するように配置することも可能である。この場合は、両分析ユニット２０のサンプリングプローブ２２は、互いに同一の試料吸引位置で検体を吸引し得るように、互いにして対面して配置される。従って、図３中の検体分析システム１においても、迅速に検査を行うことが出来る。
【００５５】
なお、本実施の形態の検体分析システム１は、２つの分析ユニット２０ａ，２０ｂにより構成されているが、それ以上の分析ユニットにより構成することも可能である。３つ以上の分析ユニットにより検体分析システムを構成した場合、複数の分析ユニットのうち少なくとも２つの分析ユニットの試料吸引位置が一致し得るならば、これらの分析ユニットの配置は任意である。例えば、図４並びに図５に示される検体分析システム１のように分析ユニット２０を配置することが可能である。
【００５６】
図４中の検体分析システム１は、４つの分析ユニット２０を主搬送路１０に沿って直列的に配置している。この検体分析システム１は、各分析ユニット２０のサンプリングプローブ２２が、隣接する一方の分析ユニット２０のサンプリングプローブ２２と試料吸引位置を共有している。従って、この検体分析システム１は、４つ分析ユニット２０があるにもかかわらず、試料吸引位置を２つに抑えている。このため、図４の検体分析システム１においても、迅速に検査を行い得る。
【００５７】
図５中の検体分析システム１は、主搬送路１０に沿って直列的に配置された２つの分析ユニット２０が、主搬送路１０を挟んで互いに対面するように一対配置されている。即ち、図５中の検体分析システム１において、各分析ユニット２０は、主搬送路１０に沿った方向並びに主搬送路１０と直交する方向に、１つづつ他の分析ユニット２０と隣接するように配置されている。これらの４つの分析ユニット２０は、全ての分析ユニットの中心に位置する共通の試料吸引位置において、検体を吸引し得るように構成されている。従って、図５の検体分析システム１においても、迅速に検査を行い得る。
【００５８】
（第２の実施の形態）
以下に、第２の実施の形態に従った検体分析システムについて説明する。本実施の形態において、前述した第１の実施の形態の検体分析システム１と同じ構成部材は、この検体分析システム１の同じ構成部材を指摘した参照符号を使用して指摘し、詳細な説明は省略する。
【００５９】
本実施の形態の検体分析システム１は、サンプリングプローブ２２ａ，２２ｂに対する制御部６０の制御が、第１の実施の形態と異なっている。第１の実施の形態においてサンプリングプローブ２２ａ，２２ｂは、同時に検体を吸引し得るように、回動タイミング並びに吸引タイミングが一致するように、制御されている。それに対し、本実施の形態のサンプリングプローブ２２ａ，２２ｂは、異なるタイミングで検体を吸引するように制御される。具体的には、制御部６０は、サンプリングプローブ２２ａ，２２ｂが前記試料吸引位置近傍において、互いに干渉しないように、これらの動作タイミングをずらすように制御する。
【００６０】
以下に、本実施の形態のサンプリングプローブ２２ａ，ｂの吸引動作について図６を参照して説明する。図６は、制御部６０のサンプリングプローブ２２ａ，２２ｂに対する駆動命令出力タイミングを示す図である。図６中において、横軸を時間軸ｔとする。
【００６１】
図６中において、ラインＬ１、Ｌ２は夫々、サンプリングプローブ２２ａ，２２ｂに対する制御部６０の駆動命令出力タイミングを示すパルス波である。制御部６０は、ラインＬ１，Ｌ２中のパルスＰ１，Ｐ２の立ち上がりにおいて、対応するサンプリングプローブ２２ａ，２２ｂに対して駆動命令を出力する。
【００６２】
ラインＬ３，Ｌ４は夫々、サンプリングプローブ２２ａ，２２ｂが試料吸引位置近傍の領域に位置している時間を示すパルス波である。ラインＬ１，Ｌ２中のパルスＰ３，Ｐ４において、対応するサンプリングプローブ２２ａ，２２ｂは、試料吸引位置近傍に存在している。
【００６３】
パルスＰ１の１周期ｔ１は、サンプリングプローブ２２ａが試料吸引位置へ移動し、検体を吸引並びに分注し、分析ユニット２０ａが再び分注を受け入れられる状態に復帰するまでの時間である。同様に、パルスＰ２の１周期ｔ３は、サンプリングプローブ２２ｂの試料吸引位置への移動開始から分析ユニット２０ｂが再び分注を受け入れられる状態に復帰するまでの時間である。
【００６４】
また、サンプリングプローブ２２ａ、ｂは、試料吸引位置近傍へ移動してから、吸引して、分注するまでの間に、試料吸引位置の近傍の領域に所定時間存在する。このサンプリングプローブ２２ａ、ｂが、試料吸引位置近傍へ移動してから、吸引並びに試料吸引位置の近傍の領域から退避するまでの時間（プローブ吸引退避時間）を、図８中において、パルスＰ３，Ｐ４によりより示している。パルスＰ３の立ち上がりから立ち下がりまで間の時間は、このプローブ吸引退避時間に設定されている。同様に、パルスＰ４の立ち上がりから立ち下がりまで間の時間は、サンプリングプローブ２２ａのプローブ吸引退避時間に設定されている。また、パルスＰ１の立ち上がりとパルスＰ２の立ち上がりとの間隔ｔ２は、前記プローブ吸引退避時間に設定されている。
【００６５】
制御部６０が、このような駆動命令タイミングでサンプリングプローブ２２ａ，２２ｂを駆動させた場合、本実施の形態の検体分析システム１は、以下のように動作する。
【００６６】
まず、第１の実施の形態と同様に、試料容器３１が、主搬送路１０により、所定の試料吸引位置に配置される。この際に制御部６０は、まず、サンプリングプローブ２２ａのみに駆動命令（パルスＰ１）を出す。この駆動命令により、サンプリングプローブ２２ａは、回動し、前記試料吸引位置に先端を配置し、検体を吸引する。
【００６７】
サンプリングプローブ２２ａは、吸引を完了した後、分析部２３ａに分注を行う。このとき、サンプリングプローブ２２ａが前記試料吸引位置から移動（退避）した際に、制御部６０は、サンプリングプローブ２２ｂに対して駆動命令を出す。この駆動命令により、サンプリングプローブ２２ｂは、サンプリングプローブ２２ａが移動した後の前記試料吸引位置に、先端を移動させ、検体を吸引し、分析部２３ｂに分注をする。分析ユニット２０ａ，２０ｂは、上述のように吸引並びに分注された検体の検査を行う。
【００６８】
この動作を繰り返し、本実施の形態の検体分析システムは、全ての検体を検査する。
【００６９】
上記動作に示すように制御部６０が、２つのサンプリングプローブ２２ａ，ｂを動作させるため、一方のサンプリングプローブが前記試料吸引位置近傍に位置している際に、他方のサンプリングプローブが前記試料吸引位置近傍に存在することはない。従って、本実施の形態の検体分析システムは、サンプリングプローブ２２ａ，ｂが、前記試料吸引位置近傍に同時に存在した場合に互いに干渉するように構成されていた場合においても、サンプリングプローブ２２ａ，ｂを共通の試料吸引位置で吸引させ得る。従って、本実施の形態の検体分析システム１は、第１の実施の形態と同様に迅速に検査を行い得る。
【００７０】
また、本実施の形態の検体分析システムは、互いに干渉してしまうような大きいサンプリングプローブを有している分析ユニット同士でも組み合わせることが出来、より自由なシステム構成を行い得る。
【００７１】
本実施の形態において、サンプリングプローブ２２ｂは、サンプリングプローブ２２ａの１周期ｔ１の駆動の間に、一度駆動するように制御されている。しかしながら、本実施の形態の制御部６０は、図７中に示すようにサンプリングプローブ２２ｂを、サンプリングプローブ２２ａの１周期ｔ１の駆動の間に、複数回駆動させる可能である。例として図７中において、制御部６０は、サンプリングプローブ２２ａの１周期ｔ１の駆動の間に、サンプリングプローブ２２ｂに対して２回駆動命令を出している。
【００７２】
分析ユニット２０ａのような生化学的検査を行う分析ユニットは、一つの検体に対して、複数の分析手段により分析するものがある。このような分析ユニットは、一度の分注で提供される検体の量では、全ての分析を行う際の検体の量に十分でないものがある。このような分析ユニットは、１つの検体に対して複数回の吸引並びに分注作業をする。このような分析ユニットに対して、図７中に示すように、制御部６０が、サンプリングプローブ２２ａ，２２ｂを制御した場合、サンプリングプローブ２２ａの動作完了を待つことなく、サンプリングプローブ２２ｂが必要量の検体の吸引並びに分注を完了することが出来る。なお、サンプリングプローブ２２ａとサンプリングプローブ２２ｂとが、互いに干渉しない場合は、サンプリングプローブ２２ｂを、サンプリングプローブ２２ａのプローブ吸引退避時間中に複数回駆動させ得ることは言うまでもない。
【００７３】
これまで、いくつかの実施の形態について図面を参照しながら具体的に説明したが、本発明は、上述した実施の形態に限定されるものではなく、その要旨を逸脱しない範囲で行なわれるすべての実施を含む。
【００７４】
本発明の実施の形態によれば、以下の態様を得ることが出来る。
【００７５】
（態様１）  試料を吸引し分析する複数の分析ユニットと、前記分析ユニットが吸引する試料吸引位置に、前記試料を搬送する搬送路と、を具備しており、
少なくとも２つの分析ユニットが、同一の試料吸引位置において、試料のサンプリングを行う検体分析システム。
【００７６】
（態様２）  試料を吸引し分析する、並列された複数の分析ユニットと、
これら複数の分析ユニットが吸引する試料吸引位置に、前記試料を搬送する搬送路と、
を具備する検体分析システムにおいて、
前記搬送路が、隣接して並列する少なくとも２つの分析ユニットの側方にて、これら２つの分析ユニットの並列方向に沿って前記試料を搬送するように配置されていることを特徴とする検体分析システム。
【００７７】
（態様３）  試料を吸引し分析する、並列された複数の分析ユニットと、
これら複数の分析ユニットが吸引する試料吸引位置に、前記試料を搬送する搬送路と、
を具備する検体分析システムにおいて、
前記搬送路が、隣接して並列する少なくとも２つの分析ユニットの間にて、これら２つの分析ユニットの並列方向と交差する方向に沿って前記試料を搬送するように配置されていることを特徴とする検体分析システム。
【００７８】
（態様４）  前記分析ユニットは、同一の試料吸引位置において、同一検体を吸引する上記態様１乃至３のいずれか１態様に記載の検体分析システム。
【００７９】
（態様５）  同一の試料吸引位置において試料を吸引した前記複数の分析ユニットの夫々は、互いに異なる分析手法により、前記試料を分析する態様４に記載の検体分析システム。
【００８０】
（態様６）  前記複数の分析ユニットは、生化学分析を行う分析ユニットと、免疫学的分析を行う分析ユニットとを含んでいる態様５に記載の検体分析システム。
【００８１】
（態様７）  前記各分析ユニットは、試料を吸引するためのサンプリングプローブを有しており、前記各サンプリングプローブは、他のサンプリングプローブと異なるタイミングで前記試料を吸引する態様１乃至３のいずれか１態様に記載の検体分析システム。
【００８２】
（態様８）  前記各分析ユニットは、試料を吸引するためのサンプリングプローブを有しており、前記少なくとも１つのサンプリングプローブは、自身以外の少なくとも１つのサンプリングプローブが次の試料を吸引するまでの間に、複数回試料を吸引する態様１乃至３のいずれか１態様に記載の検体分析システム。
【００８３】
【発明の効果】
本発明は、複数の分析ユニットで構成されているにもかかわらず、迅速に分析データの取得並びに報告がおこなうことが出来る検体分析システムを提供し得る。
【図面の簡単な説明】
【図１】図１は、第１の実施の形態に従った検体分析システムを示す概略的な上面図である。
【図２】図２は、検体を収容する検体ラックを示す上面図である。
【図３】図３は、第１の実施の形態に従った検体分析システムの変形例を示す概略的な上面図である。
【図４】図４は、第１の実施の形態に従った検体分析システムの他の変形例を示す概略的な上面図である。
【図５】図５は、第１の実施の形態に従った検体分析システムのさらに他の変形例を示す概略的な上面図である。
【図６】図６は、第２の実施の形態に従った制御部のサンプリングプローブに対する駆動命令出力タイミングを示す図である。
【図７】図７は、第２の実施の形態に従った制御部のサンプリングプローブに対する駆動命令出力タイミングの変形例を示す図である。
【図８】図８は、従来の検体分析システムを示す概略的な上面図である。
【符号の説明】
１…検体分析システム、１０…主搬送路、２０，２０ａ，２０ｂ…分析ユニット、２２，２２ａ，２２ｂ…サンプリングプローブ、２３，２３ａ，２３ｂ…分析部、３０…検体ラック、３１…試料容器、４０…ラック投入部、５０…ラック収容部、６０…制御部
【図１】
2005009976.tif 000003
【図２】
2005009976.tif 000004
【図３】
2005009976.tif 000005
【図４】
2005009976.tif 000006
【図５】
2005009976.tif 000007
【図６】
2005009976.tif 000008
【図７】
2005009976.tif 000009
【図８】
2005009976.tif 000010